(57)【特許請求の範囲】
【請求項１】
基端側にデスク天板の縁部に係合して位置決めされる下向きの屈曲部を有し、上面にはアームを有する支柱が立設されたベースプレートと、上片、側片および下片により側面視コ字形に形成され、前記ベースプレートを含みデスク天板の縁部に係合されるようにした一対のクランププレートと、該クランププレートの上片に穿設されたネジ孔に螺挿して前記ベースプレートを介し前記デスク天板をクランププレートの下片で挟持するための締付けボルトとを有し、前記ベースプレートの基端側左右の側端近くに該ベースプレートの上面から屈曲部の下端にかけて切欠された切欠部を形成し、屈曲部の下端には該切欠部の幅を狭める方向に突出させた突部を設けるとともに、前記クランププレートの両側には前記突部を通過させ得る切溝を形成し、該切溝を通してクランププレートを前記切欠部内に嵌め込むようにしたことを特徴とする機器支持用アームのデスク天板への取付装置。
【請求項２】
前記クランププレートを上下反転して取付け可能とした請求項１記載の機器支持用アームのデスク天板への取付装置。
【発明の詳細な説明】
【０００１】
【発明の属する技術分野】
本発明は、デスク天板へのアーム等の取付装置に係り、特にデスク天板への取付けにおいて従来の天板下から締付けていたものを天板上から締付けるようにして取付けの容易化を図った機器支持用アームのデスク天板への取付装置に関する。
【０００２】
【従来の技術】
近年のデスクは、各種の配線等の付加機能やデザイン性の多様化により、天板形状やフロントパネルおよび脚との組み合わせの形態等が複雑になってきている。
【０００３】
また一方ではデスクの周辺にフラットディスプレイ（以下、ＦＤという）用のアームを始めとしてタスクライトや電話台、その他各種の付属機器を取付けて使用することが多くなっている。
【０００４】
ところで、例えばデスク天板上にＯＡ機器を設置する場合、デスク天板に機器支持用のアームを取付けてアームを回転可能にすれば、ＯＡ機器はデスク天板上の所望の位置で使用することができるので好ましいものとなる。
【０００５】
ところで従来のこの種の機器支持用アームをデスクに取付けるには、天板を手前から見た場合奥側となる後部位置に断面がコ字型に形成された取付具を用いて上面が天板面上に、下面が天板の底面側になるように天板を挟み、該取付具の下面に穿設されたネジ孔にボルト等のネジ部を挿入して、ボルトの先端が天板の底面に当接させるよう締め付けて取付けを行っている。そして取付具の上面には予め旋回可能なアームなどを有する支柱を固着しておくことにより、アームにＯＡ機器を設置すればＯＡ機器をデスク天板上の所望の位置で使用することができる。
【０００６】
【発明が解決しようとする課題】
しかしながらこの下から取付ける取付け方では、天板と脚部との間に十分な締付け代が必要であり、デスク天板が脚部やフロントパネルよりも外側に大きく突出している場合のデスクであれば取付けることは容易であるが、一般にデスク天板の端部と脚部との間が狭いので下から締付けることは容易でなく、したがって外れ易いという問題があり、またデスク天板と脚部との間が広い場合でも対面するデスクや他の器物が置かれているような職場においてはいちいちデスクを移動させて取付けなければならないという問題があった。
【０００７】
【課題を解決するための手段】
本発明は、上記のような問題点を解消するため、デスクの構造やその設置状況に応じ、最適な取付方法を選択してＦＤアームをはじめとするタスクライトや電話台、その他各種の付属機器を簡易に取付けることができるようにした機器支持用アームのデスク天板への取付装置を提供することを課題としてなされたもので、その解決手段としては従来の天板下面からの締付けに代えて、天板上面からの締付けを行えるようにして締付けが容易にかつ確実にできるようにしたことにある。
【０００８】
すなわち本願発明は、基端側にデスク天板の縁部に係合して位置決めされる下向きに突出する屈曲部を有し、上面にはアームを有する支柱が立設されたベースプレートと、該ベースプレートの前記基端側に位置し、前記ベースプレートを含みデスク天板の縁部に係合されるように上片、側片および下片により側面視コ字形に形成された一対のクランププレートと、該クランププレートの上片に穿設されたネジ孔に螺挿して前記ベースプレートを介し前記デスク天板をクランププレートの下片で挟持するための上端で回動操作可能な締付けボルトとで構成されていることを特徴とする。これにより従来デスクの天板の下面側からしか取付けできず困難であった取付けが上から容易にできる。
【０００９】
また前記ベースプレート上の一対のクランププレートにカバーを取付けるとともに、該カバーから上面に突出した前記締付けボルトの上端に回転操作部材を固着してその回動操作により締付けができるようにすることが好ましい。このようにすると回転操作部材を回すだけで天板への取付けが容易にできる。
【００１０】
さらに前記ベースプレート上のー対のクランププレートにはカバーが前記締付けボルトの先端より高くなる位置に取付けるとともに、前記締付けボルトの上端面には回動操作用の多角穴を穿設し、該多角穴には多角ハンドルを挿入して回動操作可能とすることができる。これにより取付けの際、多角ハンドル等の締付け治具が必要となるが、治具を取外したのちは締付けボルトはカバー内にあって見えないので見栄えも良くなる。
【００１１】
なお前記アームを有する支柱を、前記ベースプレートに固定された内軸と、該内軸に外嵌して回動可能な外筒とで構成し、内軸と外筒との間のいずれか一方にストッパピンを、他方に該ストッパピンの回動範囲を規制する溝を設け、前記アームがデスク天板より外側への突出を不能とすることができる。
【００１２】
したがってこれによれば、アームの旋回範囲が規制され、必要以上に旋回してデスク天板からアームが外側に突出する恐れがない。
【００１３】
また、本願発明は、基端側にデスク天板の縁部に係合して位置決めされる下向きの屈曲部を有し、上面にはアームを有する支柱が立設されたベースプレートと、上片、側片および下片により側面視コ字形に形成され、前記ベースプレートを含みデスク天板の縁部に係合されるようにした一対のクランププレートと、該クランププレートの上片に穿設されたネジ孔に螺挿して前記ベースプレートを介し前記デスク天板をクランププレートの下片で挟持するための締付けボルトとを有し、前記ベースプレートの基端側左右の側端近くに該ベースプレートの上面から屈曲部の下端にかけて切欠された切欠部を形成し、屈曲部の下端には該切欠部の幅を狭める方向に突出させた突部を設けるとともに、前記クランププレートの両側には前記突部を通過させ得る切溝を形成し、該切溝を通してクランププレートを前記切欠部内に嵌め込むようにしたことを特徴とする。
【００１４】
これによればクランププレートとベースプレートとは互いに切欠き同士に係合するから使用中に外れるなどの不具合は全く生じない。また前記クランププレートを上下反転して取付けることが可能となる。
【００１５】
これにより天板上面からの取付けのほか、従来のように天板下面からの取付けも可能となり、デスクの形状に応じて選択して取付けることができる。
【００１６】
【発明の実施の形態】
以下、本発明を図面に示す実施の形態を参照して説明する。
図１は本願発明にかかる機器支持用アームのデスク天板への取付装置の全体の外観斜視図を、図２は図１からカバーを取外した斜視図を、図３乃至図５にそれぞれ図１の平面、側面、正面の各図を示すもので、適宜幅と奥行きを有する平板状のベースプレート１にはデスク天板５を手前側から見た場合、奥側に位置する天板５の縁部に基端側１ａを係合させたとき両側で位置決めされる下向きに突出する屈曲部１ｂ，１ｂが有り、上面の中央位置にはアーム３を有する支柱２が立設されている。
【００１７】
なお上記ベースプレート１は図示のように手前側に長い形状とされていることにより、デスク天板５が太鼓張りの構造であっても取付けた際に天板上面材に手前側に大きく接触することになるので、該上面材が薄い板材であってもこれを撓ませることがない。
【００１８】
また一対のクランププレート４，４は、ベースプレート１の基端側１ａに位置し、前記ベースプレート１を含みデスク天板５の縁部に係合されるように上片４ａ、側片４ｂおよび下片４ｃにより側面視コ字形に形成されている。
【００１９】
さらにクランププレート４の上片４ａには締付けボルト７の螺挿用のネジ孔６が穿設されていて、このネジ孔６に回動操作可能な締付けボルト７を螺挿したとき、ベースプレート１を介しデスク天板５をクランププレート４の下片４ｃで挟持できるようになっている。この場合締付けボルト７の下端には底板８が回転可能に嵌合して取付けられており、この底板８の広い面による押圧により下片４ｃにより挟持されたデスク天板５は上面から強く締め付けられることになる。上記ボルト７の振れを防ぐため、床板８をベースプレート１の上面に溶接あるいはビス止め等により固着し、ボルト７の下端を床板８の孔に嵌合させるのみとするようにしてもよい。
【００２０】
なおこの実施形態において支柱２および第１のアーム３は公知のようにベースプレート１に対して旋回可能となっており、さらに第１アーム３の先端に対し、第２アーム９の基端が旋回可能とされている。
【００２１】
図１は図２のベースプレート１上の両側のクランププレート４、４に支柱２を避けた形状を有するカバー１０を取付けた状態を示しており、このカバー１０の上面から突出した締付けボルト７の上端にはビス止めにより一体とした回転操作部材としてのノブ１１が取着されている。これによりノブ１１を回転させるとことによりクランププレート４、４のデスク天板５への取付け・取外しが行える。
また図５において左右のクランププレート４，４の取付け高さの異なるのはデスク天板５の厚さの違いによるもので、デスク天板５の厚さが薄い場合は、図５の左側に示すような位置の取付けとなり、デスク天板５が厚い場合は図５の右側に示すような位置の取付けとなる。
【００２２】
図６乃至図８は図３乃至図５の変形例を示すもので、図３に示したクランププレート４、４の取付位置の場合、使用中または取付時それぞれ外側に対するずれ止めとして屈曲部１ｂがあるが、内側に対するずれ止めがなされていない。
【００２３】
これに対して図６の場合は、両クランププレート４、４間に取付位置を規制するプレート１２をカバー１０にビス１３により取付けた点が相違する。
【００２４】
他の構成は図３乃至図５と同一であるのでこれと同じ符号を付して説明は省略する。
【００２５】
図９は本願発明にかかる他の機器支持用アームのデスク天板への取付装置の斜視図を示すもので、図１と異なる点はベースプレート１上のー対のクランププレート４，４には一体形成のカバー１０′が締付けボルトの先端より高くなる位置に取付けられる（締付けボルト７の上端が外から見えない状態となる）とともに、締付けボルト７の上端面には回転操作用の六角穴等の多角穴７ａを穿設し、締め付けの際には締付けボルトの多角穴７ａに別工具である多角ハンドル１４を挿入して、この多角ハンドル１４を矢印のように回転操作可能としたものである。したがってクランププレート４，４上のカバー１０′には多角ハンドル１４が挿入される大きさの孔が見えるだけで外観上は見栄えの良いものとなる。
【００２６】
図１０は本願発明にかかる他の機器支持用アームの回動規制構造の実施形態を示す外観斜視図で、前記アーム３を有する支柱２を、ベースプレート１に固定された内軸２ａと、該内軸２ａに外嵌して回動可能な外筒２ｂとで構成し、ベースプレート１にストッパピン１５を、外軸２ｂの下面に該ストッパピン１５の回動範囲を規制する溝１６を設けたものである。
【００２７】
したがって外筒２ｂが内軸２ａ回りに回動すると、外筒２ｂと一体のアーム３は旋回するが、デスク天板５より外側へはストッパピン１５と溝１６の係合により図示の矢印の範囲に旋回が規制されることになり、旋回し過ぎて隣り合うデスクまたは対向するデスク側に飛び出すような不具合は生じない。このようにアーム３の旋回範囲を規制することによりクランププレート４の下片４ｃの長さを短かくすることができ、デスク天板５の突出量が小さい場合であっても取り付けることができる。
【００２８】
この場合内軸２ａと外筒２ｂとの間に設けられるストッパピン１５と回動範囲を規制する溝１６は構造上の関係で内軸２ａと外筒２ｂのどちら側に設けても支障えはない。
【００２９】
図１１は本願発明にかかる他の機器支持用アームのデスク天板への取付装置の全体の外観斜視図、図１２乃至図１４はそれぞれ図１１の平面、側面、背面の各図、図１５および図１６はベースプレート、クランププレートおよび締付けボルトとの取付けの詳細図を示す。以下、先に示した図１乃至図１０と共通する部品にはこれと同一符号を用いて説明は省略する。
【００３０】
図１１および図１２において、ベースプレート２１は基端側にデスク天板５の縁部に係合して位置決めされる下向きの屈曲部２１ａを有し、上面にはアーム３を有する支柱２が立設されている。
【００３１】
一対のクランププレート２２は上片２２ａ、側片２２ｂおよび下片２２ｃにより側面視コ字形に形成され、前記ベースプレート２１を含みデスク天板５の縁部に係合されるようになっている。
【００３２】
またクランププレート２２の上片２２ａには締付けボルト７の螺挿用のネジ孔６が穿設されていて、このネジ孔６に回動操作可能な締付けボルト７を螺挿したとき、ベースプレート２１を介しデスク天板５をクランププレート２２の下片２２ｃで挟持できるようになっている。
【００３３】
さらにベースプレート２１の基端側左右の側端近くに該ベースプレート２１の上面から屈曲部２１ａの下端にかけて切欠された切欠部２３が形成されており、屈曲部２１ａの下端には該切欠部２３の幅を狭める方向に突出させた突部２４、２４が設けられている。これに対し前記クランププレート２２の側片２２ｂの両側には前記突部２４を通過させ得る切溝２５、２５が形成されており、これにより切溝２５を通してクランププレート２２を前記切欠部２３内に嵌め込むことができるようになっていて、嵌め込まれた状態は図１２乃至図１４に示すように取付けられ、クランププレート２２はベースプレート２１に対してずれることがないようになっている。
【００３４】
この場合の締付けボルト７等の回転操作部材の締め付けには前述のようにノブ１１、または多角ハンドル１４等の工具により行うことができる。
【００３５】
なお図１１においてクランププレート２２に形成される切溝２５は側片２２ｂの高さ（つまりデスク天板５の厚み）に応じて、図１１の左側に示すように厚さの薄い場合の状態を、同右側には厚い場合の状態を示すような形態となる。
【００３６】
図１１を平面、側面および背面から見ると図１２乃至図１４に示すようになる。
【００３７】
また図１５（Ａ），（Ｂ）は図１１においてデスク天板の厚さの厚い場合の取付けを示し、図１６（Ａ），（Ｂ）は図１１においてデスク天板の厚さの薄い場合の取付けを示している。
【００３８】
図１７は本願発明にかかる他の機器支持用アームのデスク天板への取付装置の全体の外観斜視図、図１８乃至図２０にそれぞれ図１７の平面、側面、背面の各図、図２１および図２２にベースプレート、クランププレートおよび締付けボルトとの取付けの詳細図を示す。以下、先に示した図１１乃至図１６と共通する部品にはこれと同一符号を用いて説明は省略する。
【００３９】
図１７は図１１に示したクランププレート２２、２２′を上下反転して使用した状態を示すもので、その結果図１１で締付けボルト７をベースプレート２１の上方から締め付けるのに対してデスク天板の下側からも締め付けることを可能としたものである。したがってクランププレート２２、２２′には何等手を加えることなく使用可能である。
【００４０】
すなわち図１２乃至図１４のクランププレート２２、２２′を反転して切欠部２３内に嵌め込むことにより図１８乃至２０に示す状態が得られるもので、デスク天板５と脚との隙間の大きい場合は従来と同様に天板５の下からの取付けを行うこともできる。
【００４１】
図２１（Ａ），（Ｂ）は図１６（Ａ），（Ｂ）のクランププレート２２を反転して天板５の下からの取付けを行うようにした場合を示し、天板５の厚さが厚い場合である。したがって底板８の位置はベースプレート２１から遠ざかり、上片２２ａに接近した状態となっている。
【００４２】
これに対して図２２（Ａ），（Ｂ）は天板５の厚さが薄い場合である。したがって底板８の位置は上片２２ａから遠ざかりベースプレート２１寄りの状態となっている。
【００４３】
いずれにしても前述の発明はクランププレート２２、２２′を図１１に示すように取付けられるほか、反転させることにより従来と同様にデスク天板５の下面からの取付けも行える。
【００４４】
【発明の効果】
本発明は以上説明したように構成したからつぎのような効果が得られる。
【００４５】
１）本願発明によれば、従来デスクの天板の下面側からしか取付けることができずその取付けが困難であったが、上面側から容易に取付け操作を行うことができる。
【００４６】
２）また、回転操作部材を回すだけで天板への取付けが容易となる。
【００４７】
３）また、取付けの際、多角ハンドル等の締付け治具が必要となるが、治具を取外したのちは締付けボルトはカバー内にあって見えないので見栄えが良くなる。
【００４８】
４）また、アームの旋回範囲が規制され、必要以上に旋回してデスク天板からアームが外側に突出する恐れは解消される。
【００４９】
５）また、クランププレートとベースプレートとは互いに切欠き同士に係合するから使用中に外れるなどの不具合が全く生じない。
【００５０】
６）また、天板上面からの取付けのほか、従来のように天板下面からの取付けも可能となり、デスクの形状に応じて選択して取付けることができる。
【図面の簡単な説明】
【図１】本発明にかかる機器支持用アームのデスク天板への取付装置の一実施形態を示す外観斜視図。
【図２】図１からカバーを取外した状態を示す斜視図。
【図３】図１の平面図。
【図４】図３の側面図。
【図５】図３の正面図。
【図６】本発明にかかる機器支持用アームのデスク天板への取付装置の他の実施形態を示す外観斜視図。
【図７】図６の平面図。
【図８】図６の側面図。
【図９】図６の正面図。
【図１０】本発明にかかる機器支持用アームの回動規制構造の実施形態を示す外観斜視図。
【図１１】本発明にかかる機器支持用アームのデスク天板への取付装置の他の実施形態を示す外観斜視図。
【図１２】図１１の平面図。
【図１３】図１１の側面図。
【図１４】図１１の背面図。
【図１５】図１４の一部の詳細を示し、（Ａ）は側面図、（Ｂ）は背面図。
【図１６】図１４の一部の詳細を示し、（Ａ）は側面図、（Ｂ）は背面図。
【図１７】本発明にかかる機器支持用アームのデスク天板への取付装置の他の実施形態を示す外観斜視図。
【図１８】図１７の平面図。
【図１９】図１７の側面図。
【図２０】図１７の背面図。
【図２１】図２０の一部の詳細を示し、（Ａ）は側面図、（Ｂ）は背面図。
【図２２】図２０の一部の詳細を示し、（Ａ）は側面図、（Ｂ）は背面図。
【符号の説明】
１  ベースプレート
１ａ  基端側
１ｂ  屈曲部
２  支柱
２ａ  内軸
２ｂ  外筒
３  アーム
４  クランププレート
４ａ  上片
４ｂ  側片
４ｃ  下片
５  デスク天板
６  ネジ孔
７  締付けボルト
１０  カバー
１４  多角ハンドル
１５  ストッパピン
１６  溝
２１  ベースプレート
２１ａ  屈曲部
２２，２２′  クランププレート
２２ａ  上片
２２ｂ  側片
２２ｃ  下片
２３  切欠部
２４  突部
２５  切溝
【図１】
0004330675.tif 000002
【図２】
0004330675.tif 000003
【図３】
0004330675.tif 000004
【図４】
0004330675.tif 000005
【図５】
0004330675.tif 000006
【図６】
0004330675.tif 000007
【図７】
0004330675.tif 000008
【図８】
0004330675.tif 000009
【図９】
0004330675.tif 000010
【図１０】
0004330675.tif 000011
【図１１】
0004330675.tif 000012
【図１２】
0004330675.tif 000013
【図１３】
0004330675.tif 000014
【図１４】
0004330675.tif 000015
【図１５】
0004330675.tif 000016
【図１６】
0004330675.tif 000017
【図１７】
0004330675.tif 000018
【図１８】
0004330675.tif 000019
【図１９】
0004330675.tif 000020
【図２０】
0004330675.tif 000021
【図２１】
0004330675.tif 000022
【図２２】
0004330675.tif 000023